(57)【要約】 【課題】カメラのモードダイヤルが電源ＯＦＦ時にモード設定が変化することを防ぐ撮像装置を提供する。【解決手段】カメラ１のモード設定を行うモードダイヤル２に対し、モードダイヤル２近傍に設定したスイッチ３４を切り替える電源をＯＮ／ＯＦＦする操作釦１３のＯＮ／ＯＦＦ動作時のスライド摺動を利用して、電源をＯＮ／ＯＦＦする操作釦１３と連動して駆動する操作レバー３２に設定したダボ３２１を、電源のＯＮの時には、モードダイヤルの回動と連動して回転する回転板２２のスリット２２１に嵌合させ、電源のＯＦＦの時は、モードダイヤル２の回転板のスリット２２１との嵌合を解除することにより、モードダイヤル２を回動する操作力を、カメラの動作時（電源のＯＮ状態）よりも電源のＯＦＦ時の方が高くなるように設定する。【選択図】    図２
2005295055.tif 000002
【特許請求の範囲】
【請求項１】
カメラの動作モードを設定するロータリ式のモードダイヤルにおいて、モードダイヤルの回転負荷をカメラの電源がＯＦＦの時の方が、カメラの電源がＯＮのより大きくしたことを特徴とするカメラ。
【請求項２】
モードダイヤルの回動中心と同一かつモードダイヤルの回転に伴って回転する回転板と、回転板に回動中心から放射状に伸ばした直線と略同一線上の方向であって、モードダイヤルの天面各表示部に対応する位置に備えたスリット（溝）と、カメラの電源スイッチの操作部材に連動してスライド摺動するとともに凸形状ダボを備えた操作レバーと、を設け、電源スイッチのＯＦＦ操作によって操作レバーの凸形状ダボが回転板のいづれかのスリットに嵌合することを特徴とする請求項１記載のカメラ。
【請求項３】
モードダイヤルの回動中心と同一かつモードダイヤルの回転に伴って回転する回転板と、回転板の同一円周上にモードダイヤルの天面各表示部に対応する位置に凸形状ダボと、カメラの電源スイッチの操作部材に連動してスライド摺動するとともにＵ溝を備えた操作レバーと、を設け、電源スイッチのＯＦＦ操作によって操作レバーのＵ溝が回転板のいづれかの凸形状ダボに嵌合することを特徴とする請求項１記載のカメラ。
【請求項４】
操作レバーは樹脂、或いは板金製の弾性部材で、カメラの電源がＯＦＦモードの時には、操作レバーとモードダイヤルの回転板は、スリット（溝）とダボの嵌合状態にあるが、モードダイヤルを通常より強い操作力で回動させると、操作レバーは嵌合が外れる方向に撓み、モードダイヤルの回動が可能となることを特徴とした請求項１、２，３記載のカメラ。
【発明の詳細な説明】
【技術分野】
【０００１】
本発明は、カメラのモードを選択するモードダイヤルの操作力を、カメラの電源のＯＦＦ状態に高く設定することができる機構を備えた撮像装置に関するものである。
【背景技術】
【０００２】
【特許文献１】特開２０００−１９５３６１号公報〔Ｈ０１Ｈ  ３／２０〕    特開２００３−０７５８９８号公報〔Ｇ０３Ｂ  １７／０２〕    特開２００３−０８７６２２号公報〔Ｈ０４Ｎ  ５／２２５〕
【発明の開示】
【発明が解決しようとする課題】
【０００３】
従来のカメラのモードダイヤルは、常時軽い操作力で回動できるようにしていたため、カメラの電源を切った（ＯＦＦ）状態でカバンに収納している時や、手でカメラを持って移動しているとき、モードダイヤルの操作部が他の物と接触し、使用者が操作しないにもかかわらず別のモード設定に変化し、次回の撮影時に使用者の期待する映像が撮れない場合があった。
【０００４】
このような問題の対策として、モードダイヤルに対しロック機構を設定し、完全にモードダイヤルの誤動作を禁止する実施例／先行技術はあった。しかし、モードダイヤルをロックした場合は、使用者がロックを解除しないと別のモードに変化することはないが、ロックの解除に余計な操作が必要なため、撮影チャンスを逃す可能性があった。
【課題を解決するための手段】
【０００５】
上記問題を解決するために、請求項１記載の発明は、カメラの動作モードを設定するロータリ式のモードダイヤルにおいて、モードダイヤルの回転負荷をカメラの電源がＯＦＦの時の方が、カメラの電源がＯＮのより大きく設定した。
【０００６】
上記構成により、カメラの電源がＯＮ状態では、モードダイヤルは従来の軽い操作感を維持しており、カメラの電源をＯＦＦにした時は、モードダイヤルを回動する負荷を大きくしているので、外因によるモード設定が変わることが防止できる。  
【０００７】
また、請求項２記載の発明は、モードダイヤルの回動中心と同一かつモードダイヤルの回転に伴って回転する回転板と、回転板に回動中心から放射状に伸ばした直線と略同一線上の方向であって、モードダイヤルの天面各表示部に対応する位置に備えたスリット（溝）と、カメラの電源スイッチの操作部材に連動してスライド摺動するとともに凸形状ダボを備えた操作レバーと、を設け、電源スイッチのＯＦＦ操作によって操作レバーの凸形状ダボが回転板のいづれかのスリット（溝）に嵌合する構造とした。
【０００８】
また、請求項３記載の発明は、モードダイヤルの回動中心と同一かつモードダイヤルの回転に伴って回転する回転板と、回転板の同一円周上にモードダイヤルの天面各表示部に対応する位置に凸形状ダボと、カメラの電源スイッチの操作部材に連動してスライド摺動するとともにＵ溝を備えた操作レバーと、を設け、電源スイッチのＯＦＦ操作によって操作レバーのＵ溝が回転板のいづれかの凸形状ダボに嵌合する構造とした。
【０００９】
請求項２と請求項３の構成は、凸形状のダボとスリット（溝）を構成部品に設定し、カメラの電源がＯＦＦの時に嵌合することによってモードダイヤルの回転に負荷を与えることが可能となる。
【００１０】
また、請求項４記載の発明は、請求項１及び請求項２，３に記載のカメラの構造であって、操作レバーは樹脂、或いは板金製の弾性部材で、カメラの電源がＯＦＦモードの時には、操作レバーとモードダイヤルの回転板は、スリット（溝）とダボの嵌合状態にあるが、モードダイヤルを通常より強い力で回動させると、操作レバーは嵌合が外れる方向に撓み、モードダイヤルの回動が可能となる。
【００１１】
上記構成により、カメラの電源がＯＦＦの時には、電源をＯＦＦした時のモードでロックしないので、撮影チャンスがあった場合は、カメラの電源をＯＮする通常動作でカメラを撮影モードに移行することが可能となるとともに、カメラの電源をＯＮする前に撮影モードを先に選択することが可能となる。
【発明の効果】
【００１２】
以上説明したように本発明は、請求項１、２、３記載の発明に係わるカメラによれば、モードダイヤルは、カメラの電源がＯＮ状態では従来の軽い操作感を維持しており、カメラの電源をＯＦＦにした時は、モードダイヤルを回動する負荷を大きくしているので、カメラの電源がＯＦＦの時に、外因によりモード設定が変わることを防止できる。
【００１３】
また、請求項４に記載の発明に係わるカメラによれば、カメラの電源がＯＦＦの時には、電源をＯＦＦした時のモードでロックしていないので、撮影チャンスがあった場合は、カメラの電源をＯＮする通常動作でカメラを撮影モードに移行することが可能となるとともに、カメラの電源をＯＮする前に撮影モードを先に選択することが可能となる。
【発明を実施するための最良の形態】
【００１４】
以下、本発明の（第１の実施形態）を図１〜６に基づいて説明する。図１は、本発明の第1の実施形態であるカメラの外観図である。図２は、図１のＡ−Ａ断面図である。図３〜図５は、図１の操作部の各モードにおける相関図である。図６は図２の嵌合部の拡大図である。
【００１５】
上記実施状態のカメラ本体１においては、図１に示すように１１はカメラ外装カバー、２はモードダイヤル、１３は電源をＯＮ／ＯＦＦする操作釦、１４は撮影レンズ、１５はレリーズ操作釦が配置されている。
【００１６】
上記モードダイヤル２は、図１に示すようにカメラ外装カバー１１の上面に組み込まれ、モードダイヤル２の操作部２０には、選択するモードの記号（マーク）２１が表示されており、使用者がモードダイヤル２の操作部２０を回動させ、操作部２０のモードの記号２１とモード指標２２が一致したモードが選択したモードとなる。
【００１７】
モードダイヤル２の近傍には、カメラの電源をＯＮ／ＯＦＦ操作する釦１３が組み込まれて、実施例としては、モードダイヤル２側から1)．電源ＯＦＦのモード１６ａ、2)．電源ＯＮのモード１６ｂ、3)．ＭＯＮＩＴＯＲ  ＯＦＦモード１６ｃの３モードが選択可能となっている。
【００１８】
図２は、図１のモードダイヤル２と電源をＯＮ／ＯＦＦする操作釦１３部分の、電源ＯＦＦ状態での断面図（Ａ−Ａ断面）である。モードダイヤル２は、操作部２０と同期して回転する回転板２２を有しており、回転板２２の外周付近にはモードダイヤル２の回動中心から放射状に伸びた直線と略並行に、モード毎にスリット２２１を設けており、回転板２２の下方には、カメラの電源をＯＮ／ＯＦＦする操作釦１３に連動し、スリット２２１の延長方向と同一の方向にスライド摺動する操作レバー３２を有し、操作レバー３２は、カメラの電源がＯＦＦのときのみにモードダイヤル２の回転板２２のスリット２２１に嵌合する位置へ移動する上方向に凸形状したダボ３２１を有する。
【００１９】
図３はＭＯＮＩＴＯＲ  ＯＦＦのモード、図４は電源のＯＮのモード、図５は電源のＯＦＦのモードにおけるモードダイヤル２と電源をＯＮ／ＯＦＦ操作釦１３の相関図を示している。
【００２０】
図３のＭＯＮＩＴＯＲ  ＯＦＦのモードと、図４の電源のＯＮのモードにおいては、モードダイヤル２と電源をＯＮ／ＯＦＦする操作釦１３は、従来例のようにそれぞれが独立した関係となっている。
【００２１】
図４の電源のＯＮのモードから、図５の電源  ＯＦＦのモードに移行する場合、電源ＯＮ／ＯＦＦ操作釦１３をモードダイヤル２側にスライドさせることにより、電源をＯＮ／ＯＦＦする操作釦１３の駆動に連動する操作レバー３２のダボ３２１は、モードダイヤル２の回転板２２に設定したスリット２２１に嵌合する位置にて停止し図５の状態となる。
【００２２】
図６は、図２の電源のＯＦＦ状態でのモードダイヤル２の回転板２２のスリット２２１と、電源をＯＮ／ＯＦＦする操作釦１３の操作レバー３２のダボ３２１との各モードにおける嵌合状態と、電源のＯＦＦ状態でモードダイヤル２を回転させたときの、回転板２２のスリット２２１と操作レバー３２のダボ３２１の状態を説明した拡大図である。
【００２３】
電源をＯＮ／ＯＦＦする操作釦１３と連動する操作レバー３２の固定方法については省略して図示していないが、操作レバー３２は弾性構造としているので、図５の電源がＯＦＦの状態にてモードダイヤル２が使用者によって操作（モード変更）された場合、回転板２２の回転モーメントはスリット２２１によって操作レバー３２のダボ３２１に伝達されるが、モードダイヤル２の回動する接線方向への応力のため、操作レバー３２は電源ＯＮ／ＯＦＦスイッチ３４の方向へ移動し電源がＯＮすることはなく、回転板２２の回転モーメントは操作レバー３２のダボ３２１を下方向へ撓ませることのみに働き、モードダイヤル２の回動を可能とする。
【００２４】
従来のカメラのモードダイヤル２は、通常の操作時には軽い回転力（操作力）にてモード変更が可能なように設定している。しかし、カメラの電源を切った（ＯＦＦ）状態でカバンに収納している時や、カメラを持って移動しているとき、モードダイヤル２の操作部２０が他の物と接触して、使用者が操作しないにもかかわらず別のモードに変化し、次に撮影する時に使用者の期待する映像が撮れない場合があった。
【００２５】
本考案を採用することにより、電源のＯＦＦ以外のモード（電源オンモード、ＭＯＮＩＴＯＲ  ＯＦＦモード）では従来の軽い操作感を損なうことなくモードダイヤル２を操作でき、電源をＯＦＦした場合は、モードダイヤル２の操作部２０の操作力をアップすることにより誤動作によるモード変更の発生を防ぐことが可能となる。
【００２６】
さらに、電源のＯＦＦ状態では、モードダイヤル２の操作部２０の回動の操作力をアップしているが、モードダイヤル２の回動はロックしていないので、使用者が、操作順序を誤って電源ＯＮ／ＯＦＦ釦をＯＮ状態に操作するより、モードダイヤル２を先に操作した場合は、通常の操作力以上の操作力を必要とするがカメラのモード変更操作を可能とする。
【００２７】
次ぎに、本発明の（第２の実施形態）について図１、図７〜図１０で説明する。
【００２８】
図１は、カメラの外観図であり第1の実施形態と同じである。図７は、図１のＡ−Ａ断面図である。図８〜図１０は、図１の操作部の各モードにおける相関図である。第２の実施形態における拡大図は省略する。
【００２９】
上記モードダイヤル２は、図１に示すようにカメラ外装カバー１１の上面に組み込まれ、モードダイヤル２の操作部２０には、選択するモードの記号（マーク）２１が表示されており、使用者がモードダイヤル２の操作部２０を回動させ、操作部２０のモードの記号２１とモード指標２２が一致したモードが選択したモードとなる。
【００３０】
モードダイヤル２の近傍には、カメラの電源をＯＮ／ＯＦＦ操作する釦１３が組み込まれて、実施例としては、モードダイヤル２側から1)．電源ＯＦＦのモード１６ａ、2)．電源ＯＮのモード１６ｂ、3)．ＭＯＮＩＴＯＲ  ＯＦＦモード１６ｃの３モードが選択可能となっている。
【００３１】
図７は、図１のモードダイヤル２と電源をＯＮ／ＯＦＦ操作する釦１３部分の、電源ＯＦＦ状態での断面図である。モードダイヤル２は、操作部２０と同期して回転する回転板２２を有しており、回転板２２の外周付近の同一円周上には、回転板２２の下方向にモード毎に凸状のダボ２２２を設定し、カメラの電源をＯＮ／ＯＦＦする操作釦１３に連動しモードダイヤル２の回動中心と回転板２２のダボ２２２の中心を結ぶ線の延長方向と同一の方向にスライド摺動する操作レバー３２を有し、操作レバー３２は、カメラの電源がＯＦＦのときのみにモードダイヤル２の回転板２２のダボ２２２に嵌合するＵ溝３２２を有し、Ｕ溝３２２は、モードダイヤル２の回動中心と回転板２２のダボ２２２の中心を結ぶ線と同一方向にあり、回転板２２のダボ２２２と嵌合する方向のＵ溝側面と上方向に開口部を設けている。
【００３２】
図８はＭＯＮＩＴＯＲ  ＯＦＦのモード、図９は電源のＯＮのモード、図１０は電源のＯＦＦのモードにおける、モードダイヤル２と電源ＯＮ／ＯＦＦ操作釦の相関図を示している。
【００３３】
図８のＭＯＮＩＴＯＲ  ＯＦＦのモードと、図９の電源のＯＮのモードにおいては、モードダイヤル２と電源をＯＮ／ＯＦＦする操作釦１３は、従来例のようにそれぞれが独立した関係となっている。
【００３４】
図９の電源のＯＮのモードから、図１０の電源  ＯＦＦのモードに移行する場合、電源をＯＮ／ＯＦＦする操作釦１３をモードダイヤル２側にスライドさせることにより、電源をＯＮ／ＯＦＦする操作釦１３の駆動に連動する操作レバー３２のＵ溝３２２は、モードダイヤル２の回転板２２に設定したダボ２２２に嵌合する位置にて停止する。
【００３５】
電源をＯＮ／ＯＦＦする操作釦１３と連動する操作レバー３２の固定方法については省略して図示していないが、操作レバー３２は弾性構造としているので、電源がＯＦＦの状態にてモードダイヤル２が使用者によって操作（モード変更）された場合は回転板２２が回動され、回転板２２のダボ２２２は、操作レバー３２のＵ溝３２２部を下方向へ撓ませ、モードダイヤル２の回動を可能とする。
【００３６】
次ぎに、本発明の（第３の実施形態）について図１１〜図１２で説明する。
【００３７】
（第１の実施形態）と（第２の実施形態）は、電源のＯＮ／ＯＦＦスイッチに２接点以上の複数接点を有するスライドスイッチを用いたカメラの実施例について述べたが、次に電源のＯＮ／ＯＦＦスイッチに２接点以上の複数接点を有するロータリスイッチを用いた構成について述べる。
【００３８】
図１１、図１２に示すロータリスイッチを駆動する電源をＯＮ／ＯＦＦする操作釦１７は、ロータリスイッチの回転可動範囲を往復運動し、電源をＯＮ／ＯＦＦする操作釦１７の回動ストロークを適正なストロークに変換して伝達する駆動レバー部１８を構成しており、駆動レバー部１８の先端には貫通した駆動溝１８ａが設けられて従動レバー１９の円柱状の従動ピン１９ａと噛み合っており、電源をＯＮ／ＯＦＦする操作釦１７の回動運動を従動レバー１９へ直線の往復運動に変換している。
【００３９】
電源ＯＮ／ＯＦＦする操作釦に連動して駆動する従動レバー１９と、モードダイヤル２の回転板２２とが嵌合する構造については（第１の実施形態）（第２の実施形態）に示す記載内容に含まれているので、この項目では省略する。
【００４０】
以上のように第１から第３の実施形態について詳細の構成を記載してきたが、本発明のその他の具体策として、レンズカバー部材の駆動によりカメラの電源をＯＮ／ＯＦＦする撮像装置において、レンズカバーの駆動を伝達して実現することや、電源のＯＮ／ＯＦＦをプッシュスイッチにて行う撮像装置において、電源のＯＦＦ時にモードダイヤルを回動する操作力をアップする部材をモータの動力により駆動し嵌合させることや、モードダイヤルにカメラの電源のＯＦＦモードを設定した場合において、電源のＯＦＦ時のみ回動負荷を大きくすることは、現在の技術としては当然考慮されるべきである事項とし、記載の内容に限定されるべきものではないことを追記する。
【図面の簡単な説明】
【００４１】
【図１】本発明の１実施例であるカメラの外観図である。
【図２】本発明の第１の実施形態の上記図１のＡ−Ａ断面図である。
【図３】本発明の第１の実施形態の電源スイッチがＭＯＮＩＴＯＲ  ＯＦＦモード時の相関図である。
【図４】本発明の第１の実施形態の電源スイッチがＯＮモード時の相関図である。
【図５】本発明の第１の実施形態の電源スイッチがＯＦＦモード時の相関図である。
【図６】本発明の第１の実施形態の図２の拡大図である。
【図７】本発明の第２の実施形態の上記図２のＡ−Ａ断面図である。
【図８】本発明の第２の実施形態の電源スイッチがＭＯＮＩＴＯＲ  ＯＦＦモード時の相関図である。
【図９】本発明の第２の実施形態の電源スイッチがＯＮモード時の相関図である。
【図１０】本発明の第２の実施形態の電源スイッチがＯＦＦモード時の相関図である。
【図１１】本発明の第３実施形態の電源スイッチがＯＮモード時の相関図である。
【図１２】本発明の第２の実施形態の電源スイッチがＯＦＦモード時の相関図である。
【符号の説明】
【００４２】
１：カメラ本体  
２：モードダイヤル
１１：カメラ外装カバー
１３：電源をＯＮ／ＯＦＦする操作釦（スライドスイッチ用）
１４：撮影レンズ
１５：レリーズ操作釦
１６：電源スイッチ釦の指標
１６ａ：電源  ＯＦＦモード
１６ｂ：電源  ONモード
１６ｃ：ＭＯＮＩＴＯＲ  ＯＦＦモード
１７：電源をＯＮ／ＯＦＦする操作釦（ロータリスイッチ用）
１８：駆動レバー
１８ａ：駆動溝
１９：従動レバー
１９ａ：従動ピン
２０：操作部
２１：記号
２２：回転板
３２：操作レバー
３４：複数接点のスライドスイッチ
３５：シャーシ
３６：フレキ（基板）
３７：端子固定板
２２１：スリット
２２２：ダボ（回転板用）
３２１：ダボ（操作レバー用）
３２２：Ｕ溝（操作レバー用）
【図１】
2005295055.tif 000003
【図２】
2005295055.tif 000004
【図３】
2005295055.tif 000005
【図４】
2005295055.tif 000006
【図５】
2005295055.tif 000007
【図６】
2005295055.tif 000008
【図７】
2005295055.tif 000009
【図８】
2005295055.tif 000010
【図９】
2005295055.tif 000011
【図１０】
2005295055.tif 000012
【図１１】
2005295055.tif 000013
【図１２】
2005295055.tif 000014